(57)【要約】      （修正有）【課題】従来の内ケースよりも薄く、ディスク状記憶媒体の盗難を抑制する機能を備え、両面にディスク状記憶媒体を収容可能なロック機能付き薄型ケースを提供する。【解決手段】ロック機能付きケースは、貸出しケースのロック機構は、４つの辺部から成る矩形のベース面２Ｂ、３Ｂと、４つの辺部にベース面から立設された４つの側壁２ａ〜２ｄ、３ａ〜３ｄを夫々有し、ベース面は、重なり合わないロックプレート収容領域２ＬＲ、３ＬＲと中央に受け台座を有する記憶媒体収容領域２ＤＲ、３ＤＲとが隣接して構成される本体２及び蓋体３とが各１つの側壁に設けた連結部で開閉可能に連結され、連結部を軸にして蓋体を本体に閉じた閉状態で、夫々のロックプレート収容領域により形成されるロックプレート収容空間に、収容空間に通じる開口部からロックプレートをスライド嵌入することで蓋体が開かないように互いに噛み合ってロックする機構を備える。【選択図】図１
0003231151.tif 000002
【実用新案登録請求の範囲】
【請求項１】
陳列用カバーケースに収容する記憶媒体収容可能なレンタル用ケースにおいて、
前記記憶媒体収容可能なレンタル用ケースは、
４つの辺部から成る矩形のベース面と、該４つの辺部に該ベース面から立設された４つの側壁を夫々有し、
該ベース面は、重なり合わないロックプレート収容領域ＬＲとディスク状記憶媒体収容領域ＤＲ（以下、「記憶媒体収容領域ＤＲ」ともいう。）とが隣接して構成される本体及び蓋体が、相互に隣り合う側壁に設けた連結部で開閉可能に連結され、
本体のディスク状記憶媒体収容領域ＤＲには、その中央に受け台座が設けられており、
前記連結部を軸にして蓋体を本体に閉じた状態（以下、「閉状態」ともいう。）で、夫々のロックプレート収容領域ＬＲにより形成されるロックプレート収容空間ＬＳに、このロックプレート収容空間ＬＳに通じる開口部からロックプレートをスライドして嵌入することで蓋体が開かないように互いに噛み合ってロックすることができ、
前記閉状態において、厚さ１２ｍｍ〜１２．５ｍｍの陳列用カバーケースに収容可能なように、側壁方向の厚さを５ｍｍ以上８ｍｍ未満とした、記憶媒体収容可能なロック機能付き薄型ケースであって、
本体と蓋体には夫々係合片を起立させると共に係合溝を形成し、蓋体を閉じることで本体から起立した係合片は蓋体の係合溝に係合することができ、蓋体から起立した係合片は本体の係合溝に係合することができるようにしたことを特徴とする、記憶媒体を収容するロック機能付き薄型ケース。 
【請求項２】
前記ロックプレートは、基部プレートと、該基部プレートの端からこれと直角に伸長する挿入プレートとが略Ｌ字型を形成し、該挿入プレートの内部にロック機構を備えた、厚さ３ｍｍ〜５ｍｍのロックプレートであり、
本体のロックプレート収容領域ＬＲは、前記連結部と対向する辺部側に設けられたガイド溝及びこれに隣接するコーナーを削切した切欠き部から成り、
蓋体のロックプレート収容領域ＬＲは、閉状態で夫々本体のガイド溝及び切欠き部に対向する位置に設けられたガイド蓋及び前記連結部と対向する辺部に隣接する辺部の側壁に前記開口部を有する基部プレート収容部から成り、
該ガイド溝及び該ガイド蓋には、前記挿入プレートが貫通し得る中空嵌合部が、夫々１以上立設されており、
閉状態で本体及び蓋体のロックプレート収容領域ＬＲにより形成されるロックプレート収容空間ＬＳに、該切欠き部に嵌合した該基部プレート収容部の開口部から、該ロックプレートの挿入プレートを該ガイド溝に沿ってスライドして挿入させ、該ロックプレートの基部プレートを該切欠き部に嵌合させたロック状態で、前記ガイド溝及び前記ガイド蓋にそれぞれ設けた中空嵌合部に前記挿入プレートが嵌合することで、蓋体が開かないように本体と噛み合ってロックすることが出来る、請求項１に記載のロック機能付き薄型ケース。
【請求項３】
前記ガイド溝及び前記ガイド蓋には、夫々１以上の前記中空嵌合部と共に、閉状態で前記挿入プレートに係合する１又は複数の係合部が、連結部と対向する辺部から該連結部方向に突出されており、
前記ロックプレートをロックプレート収容空間ＬＳに挿入して、前記基部プレートを本体の前記切欠き部に嵌合させた前記ロック状態で、該係合部が該挿入プレートに係合することで、蓋体が開かないように本体と噛み合ってロックすることが出来る、請求項２に記載のロック機能付き薄型ケース。
【請求項４】
前記ロックプレートは、
前記基部プレートから、前記挿入プレートと平行に嵌合片を伸長させると共に、
該基部プレートの該挿入プレート側の端部に、該挿入プレートと直角にストッパ片を突出させ、
前記ガイド溝及び前記ガイド蓋に隣接して立設した中空嵌合片嵌合部に該嵌合片を嵌合させて、蓋体が開かないように本体と噛み合ってロックすることが出来る、請求項２に記載のロック機能付き薄型ケース。
【請求項５】
本体及び蓋体には所定の間隔をおいた２か所に係合片と係合溝を対と成して設け、両係合片及び係合溝間の距離を収容されるディスク状記憶媒体の直径より小さくした、請求項１に記載のロック機能付き薄型ケース。
【請求項６】
１又は複数の補助係合片を、夫々上記係合片より蓋体の連結部側及びロックプレート収容領域ＬＲ側に起立して設けた、請求項１に記載のロック機能付き薄型ケース。
【請求項７】
ディスク状記憶媒体を収容する請求項１乃至５に記載のロック機能付き薄型ケースにおいて、
本体のベース面中央部にはディスク状記憶媒体の中央部が載る載置面を有す受け台座を設け、
同じく蓋体のベース面中央部には別のディスク状記憶媒体の中央部が載る載置面を有する受け台座を設けると共に、
両受け台座の向きは互いに垂直方向を成し、
該両受け台座の載置面中央には２本のスリット溝が所定の間隔をおいて形成され、両スリット溝にて挟まれて形成された両弾性アーム状台座先端には係合凸部を対にして突出させ、更に上記弾性アーム状台座とは独立して撓む係合ツメを係合凸部と対を成して設けたことを特徴とするロック機能付き薄型ケース。
【請求項８】
上記係合ツメの先端を係合凸部の上面より突出させ、蓋体を閉じた場合に係合ツメ先端が対向側の係合凸部側面に係止するようにした、請求項７に記載のロック機能付き薄型ケース。
【考案の詳細な説明】
【技術分野】
【０００１】
本考案は、記憶媒体を収容するロック機能付き薄型ケースに関する。
【背景技術】
【０００２】
図１２はビデオ等のレンタルショップにおいて、陳列棚に陳列されるレンタル用ケース（イ）の形態を示している。レンタル用ケース（イ）は一回り大きな陳列用カバーケース（ロ）に収容されると共に、上部開口から上端部が突出した状態で入れられ、多数の陳列用カバーケース（ロ）、（ロ）・・・が陳列棚に整然と陳列される。以下、簡単のため、「レンタル用ケース」（イ）及び「陳列用カバーケース」（ロ）を、夫々、「内ケース」（イ）及び「外ケース」（ロ）とも呼ぶこともある。
【０００３】
レンタルショップに訪れる客は外ケース（ロ）に収容されている内ケース（イ）を抜き取って借りることが出来る。内ケース（イ）の内部にはＣＤやＤＶＤ等のディスク状記憶媒体（以下、単に「記憶媒体」ともいう。）が収容されているが、所定の手続を経ないでレンタルショップから持ち出すことが出来ないように、すなわち盗難を防止する為に、開かないようにロックされていると共に、タグシールが貼着されていて警報装置が作動する。
【０００４】
特許文献１に係る「盗難防止機能を備えたＤＶＤ 等の貸出しケース」は、レンタルショップの棚に陳列したＤＶＤ等が盗難に遭わないように盗難防止機能を備えた貸出しケースであって、顧客がカウンターに持ち運んだ貸出しケースのロックを素早く解錠出来ると共に、複数枚のケースを重ねて同時に解錠可能なＤＶＤ等の貸出しケースである。そこで、このケースは本体ケースと蓋から成り、ケースの側面開口からロック板をロック板嵌入空間にスライドして嵌入することで蓋が開かない構造とし、その為にロック板の両挟持片を蓋と本体ケースに形成したガイド溝に嵌め、又ロック板の側縁にはケースから突出するツメを設け、基部を中心として撓み変形する板バネには本体ケースの爪係止部に係止するロック爪を設けた構造としている。
【０００５】
このため、特許文献１に係る貸出しケース（内ケース（イ））は、挟持片が両面側へ張り出すのでロック板（ロックプレート）は厚くなり、この両挟持片が嵌る為のガイド溝を形成した貸出しケース（内ケース（イ））の厚さも厚くなる。そのため、外ケース（ロ）も必然的に幅厚となる。
【０００６】
従来、この外ケース（ロ）の厚さは１５〜１５．５ｍｍであり、この厚さは、販売用に使用されている厚さ１４〜１５ｍｍのＤＶＤカバーケース（通称トールケース又はアマレーケース）の厚さを踏襲したものである。当初はＤＶＤカバーケースの大きさが既成概念化していたため、外ケース（ロ）も販売用ＤＶＤカバーケースと同じ大きさ（厚さ）が採用されていた。すなわち、従来、ビデオレンタル店舗では、ＤＶＤケースの展示数も既製化された展示什器、誘導路確保（消防法等）のための展示方式も規定されており、外ケース（ロ）の厚さは上記のように１５ｍｍ前後と、既成概念のみで構成されていた。そして、陳列数を増やすのであれば、店舗の大型化やレンタルＤＶＤ以外の物販品を減らさないと対応が不可能であった。
【０００７】
しかし、その後、ビデオレンタル店舗の普及にしたがいＤＶＤメディアも多様化され、顧客要求も多い状況となり、（１）ＤＶＤディスクを収納する、（２）盗難防止機構を設ける、（３）内ケース（イ）を外ケース（ロ）に挿入する、（４）外ケース（ロ）の表面にタイトル紙表示を行う、（５）展示什器の棚板陳列奥行を超えないよう既存の外ケース（ロ）の横幅程度に抑える、（６）展示什器の耐荷重を超えない、などの基本仕様が打ち出された。そして、この基本仕様を守り最適化すれば、厚さ１５ｍｍに拘らなくとも新しい外ケース（ロ）及び内ケース（イ）が開発可能となった。
【０００８】
そこで、外ケース（ロ）の薄型化を試行錯誤した結果、外ケース（ロ）の厚さは最薄１１ｍｍになるが、その厚さが１２ｍｍ未満ではタイトル紙が入らないうえ、入ったとしても厚みが薄いためタイトル紙の背表紙が見えにくい。これに加えて、１１ｍｍ厚では展示什器の棚板に載せる展示数が多くなりすぎて展示什器の耐荷重を超えてしまう。
【０００９】
このため、外ケース（ロ）の厚さは、１２ｍｍ厚とすることが可能だが、この場合、内ケース（イ）の厚さは８ｍｍ未満とすることが必要となる。外ケース（ロ）の肉厚を薄くすると内ケースの厚さにも余裕が出来るが、上記剛性低下の問題の他、コストや成形技術との兼合いもあり、困難である。
【００１０】
また、特許文献１に係る貸出しケースのように、従来の板バネを用いたロックプレートは厚さが９．５〜１０ｍｍあるため、厚さ８ｍｍ未満の内ケース（イ）には使用できず、ロックプレートの構成、構造の設計を変更する必要が生じた。
【００１１】
【特許文献１】２００２−１５０４４４号公報
【特許文献２】２００４−２５００７５号公報
【考案の概要】
【考案が解決しようとする課題】
【００１２】
以上のような経緯により、陳列本数を多くするため、考案者はロック機能付き内ケースの薄型化に取り組み、厚さが５ｍｍ以下のロックプレートを備える厚さ８ｍｍ未満のロック機能付き内ケースを実現した。しかし、このような薄型化を図った結果、内ケース自体の剛性が低下し、内ケースに加力して生じる隙間から、内ケースに収容しているディスク状記憶媒体が盗まれる虞が生じた。
【００１３】
そこで、本考案は、従来の内ケースに比較してその厚さを薄くしつつも、剛性低下した内ケースをこじ開けてディスク状記憶媒体を盗難することを抑制する機能を備えたロック機能付き薄型ケースを提供すると共に、さらに両面にディスク状記憶媒体を収容可能なロック機能付き薄型ケースを提供する。
【課題を解決するための手段】
【００１４】
（１）ロック機能付き薄型ケースの基本構成
本考案に係る記憶媒体を収容するロック機能付き薄型ケースは、陳列用カバーケースに収容する記憶媒体収容可能なレンタル用ケースにおいて、
前記記憶媒体収容可能なレンタル用ケースは、４つの辺部から成る矩形のベース面と、該４つの辺部に該ベース面から立設された４つの側壁を夫々有し、該ベース面は、重なり合わないロックプレート収容領域ＬＲとディスク状記憶媒体収容領域ＤＲ（以下、「記憶媒体収容領域ＤＲ」ともいう。）とが隣接して構成される本体及び蓋体が、相互に隣り合う側壁に設けた連結部で開閉可能に連結され、本体のディスク状記憶媒体収容領域ＤＲには、その中央に受け台座が設けられており、連結部を軸にして蓋体を本体に閉じた状態（以下、「閉状態」ともいう。）で、夫々のロックプレート収容領域ＬＲにより形成されるロックプレート収容空間ＬＳに、該収容空間に通じる開口部からロックプレートをスライドして嵌入することで蓋体が開かないように互いに噛み合ってロックすることができ、前記閉状態において、厚さ１２ｍｍ〜１２．５ｍｍの陳列用カバーケースに収容可能なように、側壁方向の厚さを５ｍｍ以上８ｍｍ未満とした、記憶媒体収容可能なロック機能付き薄型ケースであって、
本体と蓋体には夫々係合片を起立させると共に係合溝を形成し、蓋体を閉じることで本体から起立した係合片は蓋体の係合溝に係合することができ、蓋体から起立した係合片は本体の係合溝に係合することができるようにしたことを特徴とする。 
【００１５】
本考案に係る記憶媒体を収容するロック機能付き薄型ケースにおいて、前記ロックプレートは、基部プレートと、該基部プレートの端からこれと直角に伸長する挿入プレートとが略Ｌ字型を形成し、該挿入プレートの内部にロック機構を備えた、厚さ３ｍｍ〜５ｍｍのロックプレートであり、本体のロックプレート収容領域ＬＲは、前記連結部と対向する辺部側に設けられたガイド溝及びこれに隣接するコーナーを削切した切欠き部から成り、蓋体のロックプレート収容領域ＬＲは、閉状態で夫々本体のガイド溝及び切欠き部に対向する位置に設けられたガイド蓋及び前記連結部と対向する辺部に隣接する辺部の側壁に前記開口部を有する基部プレート収容部から成り、該ガイド溝及び該ガイド蓋には、前記挿入プレートが貫通し得る中空嵌合部が、夫々１以上立設されており、閉状態で本体及び蓋体のロックプレート収容領域ＬＲにより形成されるロックプレート収容空間ＬＳに、該切欠き部に嵌合した該基部プレート収容部の開口部から、該ロックプレートの挿入プレートを該ガイド溝に沿ってスライドして挿入させ、該ロックプレートの基部プレートを該切欠き部に嵌合させたロック状態で、前記ガイド溝及び前記ガイド蓋にそれぞれ設けた中空嵌合部に前記挿入プレートが嵌合することで、蓋体が開かないように本体と噛み合ってロックすることが出来る。
【００１６】
本考案に係る記憶媒体を収容するロック機能付き薄型ケースにおいて、前記ガイド溝及び前記ガイド蓋には、夫々１以上の前記中空嵌合部と共に、閉状態で前記挿入プレートに係合する１又は複数の係合部が、連結部と対向する辺部から該連結部方向に突出されており、前記ロックプレートをロックプレート収容空間ＬＳに挿入して、前記基部プレートを本体の前記切欠き部に嵌合させた前記ロック状態で、該係合部が該挿入プレートに係合することで、蓋体が開かないように本体と噛み合ってロックすることが出来る。
【００１７】
本考案に係る記憶媒体を収容するロック機能付き薄型ケースにおいて、前記ロックプレートは、前記基部プレートから、前記挿入プレートと平行に嵌合片を伸長させると共に、該基部プレートの該挿入プレート側の端部に、該挿入プレートと直角にストッパ片を突出させ、前記ガイド溝及び前記ガイド蓋に隣接して立設した中空嵌合片嵌合部に該嵌合片を嵌合させて、蓋体が開かないように本体と噛み合ってロックすることが出来る。
【００１８】
本考案に係る記憶媒体を収容するロック機能付き薄型ケースにおいて、蓋体のロックプレート収容領域ＬＲは、前記連結部と対向する辺部側に設けられたガイド溝及びこれに通じるコーナーを削切した切欠き部から成り、本体のロックプレート収容領域ＬＲは、閉状態で夫々本体のガイド溝及び切欠き部に対向する位置に設けられたガイド溝及びこれに隣接するコーナーを削切した切欠き部から成る。
（２）ディスク抜き出し防止機能
【００１９】
本考案に係る記憶媒体を収容するロック機能付き薄型ケースは、本体及び蓋体には所定の間隔をおいた２か所に係合片と係合溝を対と成して設け、両係合片及び係合溝間の距離を収容されるディスク状記憶媒体の直径より小さくした。
【００２０】
本考案に係る記憶媒体を収容するロック機能付き薄型ケース１は、上記補助係合片を上記係合片より蓋体の連結部側及びロックプレート収容領域ＬＲ側に起立して設けてもよい。
（３）両ベース面収納ケース
【００２１】
本考案に係るロック機能付き薄型ケースは、ディスク状記憶媒体を収容する上述のロック機能付き薄型ケースにおいて、
本体のベース面中央部にはディスク状記憶媒体の中央部が載る載置面を有す受け台座を設け、同じく蓋体のベース面中央部には別のディスク状記憶媒体の中央部が載る載置面を有する受け台座を設けると共に、両受け台座の向きは互いに垂直方向を成し、該両受け台座の載置面中央には２本のスリット溝が所定の間隔をおいて形成され、両スリット溝にて挟まれて形成された両弾性アーム状台座先端には係合凸部を対にして突出させ、更に上記弾性アーム状台座とは独立して撓む係合ツメを係合凸部と対を成して設けたことを特徴とする（特許文献２参照）。
【００２２】
本考案に係る記憶媒体を収容するロック機能付き薄型ケースは、上記係合ツメの先端を係合凸部の上面より突出させ、蓋体対を閉じた場合に係合ツメ先端が対向側の係合凸部側面に係止するようにした。
【考案の効果】
【００２３】
本考案に係るロック機能付き薄型ケースは、挿入されるロックプレートが、ＤＶＤなどディスク状記憶媒体が収容される位置（記憶媒体収容領域ＤＲ）とは異なり、ディスク状記憶媒体と重なり合わない位置（ロックプレート収容領域ＬＲ）にロックプレートが挿入されることで、ケースは薄くなっている。すなわち、本考案に係るロック機能付き薄型ケースは、側壁方向の厚さ５ｍｍ以上８ｍｍ未満を実現したので、厚さ１２ｍｍ〜１２．５ｍｍの陳列用カバーケースに収容可能となり、従来より２０％増の陳列用カバーケースを陳列棚に収容することを可能とした。その反面、ケースが薄くなることで全体の剛性が不足して蓋体をこじ開けて収容されているディスク状記憶媒体が盗まれる虞が発生する。
【００２４】
しかし、本考案のロック機能付き薄型ケースは、本体と蓋体に係合片と係合溝が設けられ、蓋体を閉じることで係合片と係合溝は互いに係合し合う為に、蓋体をこじ開けて収容されているディスク状記憶媒体が盗まれることはない。すなわち、蓋体をこじ開けても係合片の間をディスク状記憶媒体が通過することは出来ない距離に設けられている。
【００２５】
この係合片と係合溝の係合が外れるほど蓋体をこじ開けた場合でも、本考案に係るロック機能付き薄型ケースは、各補助係合片を、蓋体が開閉する連結部側とロックプレート側に夫々形成するため、ディスク状記憶媒体の盗難を防止することができる。すなわち、連結部側とロックプレート側の補助係合片を、双方の補助係合片間の距離がディスク状記憶媒体の直径以下となるように形成すれば、連結部側の補助係合片の先端とロックプレート側の補助係合片の先端に隙間が出来るほど蓋体をこじ開けることは出来ず、蓋体を壊さない限りディスク状記憶媒体の盗難を防ぐことができる。
【００２６】
さらに、本考案に係るロック機能付き薄型ケースは、本体のベース面と蓋体のベース面に受け台座を設け、各々の受け台座にディスク状記憶媒体を取付けることもできる。そして受け台座は載置面からスリット溝を介して分離した弾性アーム状台座先端に係合凸部を形成すると共に当該弾性アーム状台座から分離した係合ツメを設け、この係合凸部及び係合ツメはディスク状記憶媒体の中央穴に嵌って安定して支持することが出来る。弾性アーム状台座は受け台座の載置面とはスリット溝を介して分離している為に、該弾性アーム状台座は自由に撓み変形することが出来る。
【００２７】
そこで、ディスクを取付ける場合、係合凸部が中央穴に当って押下げられるならば、アームは撓んで両係合凸部は収縮して中央穴に嵌まり、係合ツメは中央穴の内周縁に係止することが出来る。逆に、ディスク状記憶媒体を取外す際には、穴に嵌っている係合凸部を押圧することで、弾性アーム状台座は撓んで係合凸部及び係合ツメは収縮すると共に中央穴から離脱する。そして、本体に設けている受け台座と蓋体に設けている受け台座の向きは互いにクロスしている為に、蓋体を閉じるならば中央穴に嵌って内周縁に係止している係合ツメの先端は係合凸部の側面に係止して内側への撓みが阻止される。
【００２８】
このような構成の本考案に係るロック機能付き薄型ケースは、係合ツメ先端が対向側の係合凸部側面に係止するため、本体と蓋体とに共にディスク状記憶媒体を収容しても厚さが増すことはなく、厚さ３ｍｍ〜５ｍｍ以下のロックプレートを挿入して、側壁方向の厚さを５ｍｍ以上８ｍｍ未満とすることができる。
【図面の簡単な説明】
【００２９】
【図１】本考案に係るディスク状記憶媒体を収容するロック機能付き薄型ケースの、開状態における正面図。
【図２】本考案に係るロックプレートの正面図。
【図３】本考案に係る閉状態のロック機能付き薄型ケースの、ロック状態を示す正面図。
【図４】閉状態の本体と蓋体をこじ開けた場合の本考案に係るロック機能付き薄型ケースの側面図。
【図５】本考案に係るロック機能付き薄型ケースの、閉状態における正面図。
【図６】受け台座の（ａ）拡大正面図、および（ｂ）拡大断面図。
【図７】本体と蓋体の双方に受け台座を設けた場合の、本考案に係るロック機能付き薄型ケースの開状態における正面図。
【図８】本体の受け台座と蓋体に設けた受け台座の位置関係を表す正面模式図。
【図９】本考案に係るロックプレートにおいて板バネに接続されたアームが複数の場合の、（ａ）ロック状態の正面模式図、（ｂ）ロック解除状態の正面模式図、（ｃ）ロック解除阻止状態の正面模式図。
【図１０】実施例に係るロックプレートにおいて、板バネに接続されたアームが複数の場合の、（ａ）ロック状態の正面模式図、（ｂ）ロック解除状態の正面模式図、（ｃ）ロック解除阻止状態の正面模式図。
【図１１】本考案に係るロックプレートにおいて板バネで構成されるアームが１つの場合の、（ａ）ロック状態の正面模式図、（ｂ）ロック解除状態の正面模式図、（ｃ）ロック解除阻止状態の正面模式図。
【図１２】ＤＶＤ、ＣＤ等のディスク状記憶媒体を入れたレンタル用ケース（内ケース）が上端を突出して収納されている陳列用カバーケース（外ケース）の外表面斜視図。
【図１３】本考案に係るロックプレートと半開状態のロック機能付き薄型ケースの斜視図。
【考案を実施するための形態】
【００３０】
以下、図面を参照しながら本考案に係る記憶媒体を収容するロック機能付き薄型ケースの実施形態、実施例について説明する。なお、以下各図面を通して同一の構成要素には同一の符号を使用するものとする。
（１）ロック機能付き薄型ケースの基本構成
【００３１】
本考案に係る記憶媒体を収容するロック機能付き薄型ケース１は、図１２に示す陳列用カバーケース（外ケース）（ロ）に収容する、記憶媒体収容可能なレンタル用ケース（内ケース）（ロ）である。
（１−１）記憶媒体収容領域ＤＲとロックプレート収容領域ＬＲ
【００３２】
本考案の記憶媒体を収容するロック機能付き薄型ケース１は、図１に示すように、本体２、蓋体３が、各々４つの辺部（２ａ〜２ｄ、３ａ〜３ｄ）から成る矩形のベース面２Ｂ、３Ｂと、この４つの辺部にベース面２Ｂ、３Ｂから立設された４つの側壁２ａ〜２ｄ、３ａ〜３ｄを夫々有している。そして、本体２及び蓋体３は、各１つの側壁２ｄ、３ｄに設けた連結部１Ｒで開閉可能に連結されている。
【００３３】
また、本体２、蓋体３の各ベース面２Ｂ、３Ｂは、夫々重なり合わないロックプレート収容領域２ＬＲ、３ＬＲ（以下、総称して「ロックプレート収容領域ＬＲ」ともいう。）とディスク状記憶媒体収容領域２ＤＲ、３ＤＲ（以下、総称して「記憶媒体収容領域ＤＲ」ともいう。）とが隣接して構成されており、本体２のベース面２Ｂにおける記憶媒体収容領域ＤＲの中央には、受け台座４が設けられている。
【００３４】
本考案のロック機能付き薄型ケース１は、連結部１Ｒを軸にして蓋体３を本体２に閉じた状態（以下、「閉状態」ともいう。）で、夫々のロックプレート収容領域ＬＲにより形成されるロックプレート収容空間ＬＳに、この収容空間ＬＳに通じる開口部１Ｈからロックプレート７（図２参照）をスライドして嵌入することにより、蓋体３が開かないように互いに噛み合ってロックすることが出来る（図３参照）。
【００３５】
本考案に係るロック機能付き薄型ケース１は、図３のように、ＤＶＤなどディスク状記憶媒体が収容される記憶媒体収容領域ＤＲとは重なり合わないロックプレート収容領域ＬＲに、厚さ３ｍｍ〜５ｍｍ以下のロックプレート７を挿入するので、側壁方向の厚さを５ｍｍ以上８ｍｍ未満とすることができる。したがって、本考案のロック機能付き薄型ケース１は、厚さ１２ｍｍ〜１２．５ｍｍの陳列用カバーケースに収容可能となり、より多くの陳列用カバーケースを陳列棚に収容することを可能とすることができる。その反面、ケースが薄くなることで全体の剛性が不足して蓋体３をこじ開けて収容されているディスク状記憶媒体が盗まれる虞が生じる。
（１−２）係合片と係合溝
【００３６】
そこで、本考案のロック機能付き薄型ケース１は、本体２と蓋体３には夫々係合片（２０８ｔａ、２０８ｔｂ、３０９ｔａ、３０９ｔｂ）を起立させると共に係合溝（２０９ｍａ、２０９ｍｂ、３０８ｍａ、３０８ｍｂ）を形成し、蓋体３を閉じることにより、本体２から起立した係合片（２０８ｔａ、２０８ｔｂ）は蓋体３の係合溝（３０８ｍａ、３０８ｍｂ）に係合することができ、蓋体３から起立した係合片（３０９ｔａ、３０９ｔｂ）は本体２の係合溝（２０９ｍａ、２０９ｍｂ）に係合することができるようにした。 
【００３７】
このため、本考案のロック機能付き薄型ケース１は、蓋体３を閉じることで係合片（２０８ｔａ、２０８ｔｂ、３０９ｔａ、３０９ｔｂ）と係合溝（２０９ｍａ、２０９ｍｂ、３０８ｍａ、３０８ｍｂ）とは互いに係合し合う為に、蓋体３をこじ開けてディスク状記憶媒体が盗まれることを防止することができる。すなわち、係合片（２０８ｔａ、２０８ｔｂ、３０９ｔａ、３０９ｔｂ）は、蓋体３をこじ開けても、これらの係合片の間をディスク状記憶媒体が通過することは出来ない距離に設けられている。
（１−３）ロックプレートの嵌合
【００３８】
次に、ロックプレート７は、図２のように、基部プレート７１と、基部プレート７１の端からこれと直角に伸長する挿入プレート７３とが略Ｌ字型を形成し、挿入プレート７３の内部にロック機構８を備えている。このロックプレート７を収容する本体２のロックプレート収容領域２ＬＲは、図１のように、連結部１Ｒと対向する辺部（２ａ）側に設けられたガイド溝２Ｇ及びこれに隣接するコーナーを削切した切欠き部２２からなる。一方、蓋体３のロックプレート収容領域３ＬＲは、閉状態で夫々本体２のガイド溝２Ｇ及び切欠き部２２に対向する位置に設けられたガイド蓋３Ｇ及び連結部１Ｒと対向する辺部３ａに隣接する辺部の側壁３ｂに開口部１Ｈを有する基部プレート収容部３２から成る。そして、このガイド溝２Ｇ及びガイド蓋３Ｇには、挿入プレート７３が貫通し得る中空嵌合部２０５、３０５が、夫々１以上立設されている（図１において２０５ａ、２０５ｂ、３０５ａ、３０５ｂ）。
【００３９】
このような本考案のロック機能付き薄型ケース１は、上記閉状態で、図３のように、本体２及び蓋体３のロックプレート収容領域ＬＲにより形成されるロックプレート収容空間ＬＳに、切欠き部２２に嵌合した基部プレート収容部３２の開口部１Ｈから、ロックプレート７の挿入プレート７３をガイド溝２Ｇに沿ってスライドさせて挿入することができる（図１３参照）。そして、ロックプレート７の基部プレート７１を切欠き部２２に嵌合させたロック状態で、ガイド溝２Ｇ及びガイド蓋３Ｇにそれぞれ設けた中空嵌合部２０５、３０５に挿入プレート７３が嵌合することで、蓋体３が開かないように本体２と噛み合ってロックすることができる（図３参照）。すなわち、本考案のロック機能付き薄型ケース１は、図１のように、ガイド溝２Ｇ及びガイド蓋３Ｇに、夫々１以上の中空嵌合部２０５、３０５が設けられているので、これらに挿入プレート７３が嵌合されて、本体２と蓋体３とが、図３のようにロック状態にロックされる。
【００４０】
また、ガイド溝２Ｇ及びガイド蓋３Ｇには、閉状態で挿入プレート７３に係合する１又は複数の係合部２０７、３０７が、連結部１Ｒと対向する辺部（２ａ）、（３ａ）から連結部１Ｒ方向に突出されてもよい（２０７ａ、２０７ｂ、３０７ａ、３０７ｂ；図１参照）。ロックプレート７をロックプレート収容空間ＬＳに挿入して、基部プレート７１を本体２の切欠き部２２に嵌合させたロック状態で、係合部２０７、３０７が挿入プレート７３に係合することで、蓋体３が開かないように本体２と噛み合ってロックすることができる。
【００４１】
また、ロックプレート７は、図２のように、基部プレート７１から、挿入プレート７３と平行に嵌合片７４を伸長させると共に、基部プレート７１の挿入プレート７３側の端部に、挿入プレート７３と直角にストッパ片７２を突出させるのが好ましい。ガイド溝２Ｇ及びガイド蓋３Ｇに隣接して立設した中空嵌合片嵌合部２０６，３０６に嵌合片７４を嵌合させて、蓋体３が開かないように本体２と噛み合ってロックすることができる。
【００４２】
なお、本考案のロック機能付き薄型ケース１の本体２および蓋体３において、ロックプレート収容領域ＬＲの構成を入れ替えてもよい。すなわち、蓋体３のロックプレート収容領域ＬＲは、連結部１Ｒと対向する辺部３ａ側に設けられたガイド溝及びこれに隣接するコーナーを削切した切欠き部から成り、本体２のロックプレート収容領域ＬＲは、閉状態で夫々蓋体３のガイド溝及び切欠き部に対向する位置に設けられたガイド蓋及び連結部１Ｒと対向する辺部（２ａ）に隣接する辺部の側壁２ｂに開口部１Ｈを有する基部プレート収容部から成る構成としてもよい。
（１−４）ロック機構
【００４３】
上述した本考案に係る厚さ５ｍｍ以上８ｍｍ未満のロック機能付き薄型ケース１の構成は、上記のようにロックプレート７の厚さが３ｍｍ以上５ｍｍ以下であることを前提としている。そこで、この（１−４）節では、本考案のロック機能付き薄型ケース１が採用するロックプレート７（図２参照）、及び、ロックプレート７を構成する挿入プレート７３が内部に備えるロック機構８について説明する。なお、以下、本体２および蓋体３のロックプレート収容領域ＬＲの構成は、図１の通り、本体２側がガイド溝２Ｇ及び切欠き部２２からなり、蓋体３側がガイド蓋３Ｇ及び開口部１Ｈを有する基部プレート収容部３２からなるものとする。
【００４４】
本考案のロック機能付き薄型ケース１において、本体２の連結部１Ｒと対向する辺部（２ａ）に設けられたガイド溝２Ｇは、図１のように、ベース面２Ｂから立設された側壁２ａと、これと平行にベース面２Ｂから立設されて、複数の爪係止部２０１が側壁２ａ側に設けられたロック壁２Ｌとから構成されている。
【００４５】
また、ロックプレート７において、挿入プレート７３は、図２のように、ロック面７３Ｌとこれと対向する基底面７３Ｂ及びこの両面を接続する側面７３Ｓ（長手側面７３Ｓｌ、短手側面７３Ｓｔ）で囲まれる内部空間にロック機構８を備えている。ロック機能付き薄型ケース１をロック状態とするために、ロックプレート７を、本体２と蓋体３のロックプレート収容領域ＬＲが閉状態で形成するロックプレート収容空間ＬＳへ、開口部１Ｈから挿人する（図３参照）。すなわち、ロックプレート７を、開口部１Ｈから、挿入プレート７３のロック面７３Ｌをロック壁２Ｌに、基底面７３Ｂを側壁２ａに当接させながらガイド溝２Ｇにスライドさせて挿入する。
【００４６】
一方、図１１（ａ）〜（ｃ）に、従来の板バネ８０１をロック機構８に採用したロックプレート７を示す（特許文献１参照）。ロックプレート７は、図１１（ａ）のように、挿入プレート７３内部に片持ち梁式に弾性支持される板バネ８０１を備え、ロック壁２Ｌの複数の爪係止部２０１に係止可能なロック爪８０１Ｌを先端に有する。そのため、図３のように、閉状態の開口部１Ｈからロックプレート７を完全に挿人したロック状態で、板バネ８０１のロック爪８０１Ｌがロック面７３Ｌから突出して、ベース面２Ｂに立設されたロック壁２Ｌの爪係止部２０１に係止されて、本考案のロック機能付き薄型ケース１をロックすることができる。
【００４７】
このような板バネ８０１を用いたロックプレート７の厚さは、従来７ｍｍとしていたが、板バネ８０１の厚さを抑えることにより、ロックプレート７の厚さを５ｍｍ以下とすることは技術的には可能である。しかし、板バネ８０１の厚さを薄くすると、その磁力が不十分となり、図１１（ｂ）、（ｃ）のようなマグネット１００を用いてロック解除をしようとしても、図１１（ｂ）、（ｃ）に示すようには十分にマグネット１００の磁石１０１に引き付けられず、ロック解除の動作は安定しないことが判明した。
【００４８】
そこで、本考案のロック機能付き薄型ケース１は、ロックプレート７に以下のようなロック機構８を採用し、ロックプレート７の厚さを５ｍｍ以下とすることに成功した。すなわち、本考案のロック機能付き薄型ケース１が新たに採用するロック機構８は、図２のように、挿入プレート７３内部に片持ち梁式に弾性支持される、１又は複数の金属製アーム８０を備え、金属製アーム８０はロック壁２Ｌの複数の爪係止部２０１に係止可能なロック爪８０Ｌを有する。そのため、本考案に係るロック機能付き薄型ケース１は、ロック状態を示す図３のように、閉状態の開口部１Ｈからロックプレート７を完全に挿人したロック状態で、複数の金属製アーム８０の夫々のロック爪８０Ｌがロック面７３Ｌから突出して、ベース面２Ｂに立設されたロック壁２Ｌの爪係止部２０１に夫々係止されて、本考案のロック機能付き薄型ケース１をロックすることができる。
【００４９】
そして、図９（ｂ）、図１０（ｂ）のように側壁２ａ、３ａに解除用マグネット１００を当てて、解除用マグネット１００が含む磁石１０１の磁気力を複数の金属製アーム８０に作用させることで、複数の金属製アーム８０の先端を弾性体８３の弾性力に抗して磁石１０１（マグネット１００）に引き寄せて、ロック壁２Ｌに設けた爪係止部２０１から夫々のロック爪８０Ｌを解除することが可能である。
【００５０】
ここで、金属製アーム８０は、その全体が磁化可能な磁性体金属により構成されており、金属製アーム８０は、挿入プレート７３内部の基底面７３Ｂや側面７３Ｓ（長手側面７３Ｓｌ、短手側面７３Ｓｔ）に固定されたバネなどの弾性体で片持ち梁式に弾性支持される。金属製アーム８０は、図１０（ａ）〜（ｃ）のように、短手側面７３Ｓｔに固定された弾性体８３により弾性支持されてもよい。
【００５１】
なお、解除用マグネット１００とは、本考案のロック機能付き薄型ケース１のロック機構８の製造者側が、ロック解除のため用意するマグネット１００をいい、盗難用を含め一般のマグネット１００と区別する際に特に「解除用マグネット」と記載することとする。解除用マグネットは、図９（ｂ）、図１０（ｂ）のように、マグネット１００の適切な位置に磁石１０１を埋め込んでいるため、ロックプレート７をロック解除によりロックプレート収容空間ＬＳから抜き取ることができる。一方、盗難用マグネットは、例えば図９（ｃ）、図１０（ｃ）のようにマグネット１００全体が磁石１０１であるため、磁気レバー８６の長腕８６ａが磁石１０１に引き付けられて短腕８６ｂが金属製アーム８０のロック解除を阻止するので、ロックプレート７をロックプレート収容空間ＬＳから抜き取ることができない。
（２）ディスク抜き出し防止機能
【００５２】
（係合片と係合溝）
上述したように、本考案に係るロック機能付き薄型ケース１は、図５、図１のように、本体２及び蓋体３には所定の間隔をおいた２か所に係合片と係合溝の対（２０８ｔａ、３０８ｍａ）と（２０８ｔｂ、３０８ｍｂ）、及び、（３０９ｔａ、２０９ｍａ）、（３０９ｔｂ、２０９ｍｂ）を設けるのが好適である。対になる係合片及び係合溝の２か所間の距離を、収容されるディスク状記憶媒体１０００の直径より小さくすることにより、収容されたディスク状記憶媒体１０００の抜出を防止することができる。
【００５３】
すなわち、ロック機能付き薄型ケース１の閉状態では、本体２と蓋体３には夫々係合片（２０８ｔａ、２０８ｔｂ）と（３０９ｔａ、３０９ｔｂ）を起立させると共に係合溝（２０９ｍａ、２０９ｍｂ）と（３０８ｍａ、３０８ｍｂ）を形成し、蓋体３を閉じることで本体２から起立した係合片２０８（２０８ｔａ、２０８ｔｂ）は蓋体３の係合溝３０８（３０８ｍａ、３０８ｍｂ）に係合することができ、蓋体３から起立した係合片３０９（３０９ｔａ、３０９ｔｂ）は本体２の係合溝（２０９ｍａ、２０９ｍｂ）に係合することができる。 
【００５４】
そして、本体２の係合片２０８ｔａ、２０８ｔｂ間の距離と、蓋体３の係合片３０９ｔａ、３０９ｔｂ間の距離とを、ディスク状記憶媒体１０００の直径より小さくすることにより、ディスク状記憶媒体１０００を、両係合片間を通過させて抜取ることは出来なくなる（図４参照）。しかし、本体２と蓋体３を大きくこじ開けることで、上記係合片２０８、３０９が係合溝３０８、２０９から完全に外れると共に、本体２側の係合片２０８先端と蓋体３側の係合片３０９先端との間をディスク状記憶媒体１０００が通過する隙間が形成されれば、両係合片間距離（２０８ｔａ、２０８ｔｂ間の距離、３０９ｔａ、３０９ｔｂ間の距離）がディスク状記憶媒体１０００の直径より小さくても抜取られる。
【００５５】
（補助係合片）
そのため、図１、図５のように、本体２と蓋体３に、補助係合片（２０４ｔａ、２０４ｔｂ）と（３０４ｔａ、３０４ｔｂ）を設けることも出来る。すなわち、本考案に係るロック機能付き薄型ケース１は、補助係合片（２０４ｔａ、２０４ｔｂ）と（３０４ｔａ、３０４ｔｂ）を上記係合片（２０８ｔａ、２０８ｔｂ）と（３０９ｔａ、３０９ｔｂ）より蓋体３の連結部１Ｒ側及びロックプレート収容領域ＬＲ側に起立して設けるのが好適である。
【実施例１】
【００５６】
上記本体２と蓋体３に設けた係合片２０８（２０８ｔａ、２０８ｔｂ）と（３０９ｔａ、３０９ｔｂ）、及び、補助係合片（２０４ｔａ、２０４ｔｂ）と（３０４ｔａ、３０４ｔｂ）について、以下に詳細に説明する。
【００５７】
図４は本体２と蓋体３とをこじ開けた場合を示している。本考案のロック機能付き薄型ケース１は、こじ開けることでこのように大きく開口し、この開口から収容しているディスク状記憶媒体１０００が抜取られる虞がある。しかし、本考案では本体２に係合片２０８ｔａ、２０８ｔｂが起立し、蓋体３にも係合片３０９ｔａ、３０９ｔｂが起立しており、これら係合片２０８ｔａと係合片２０８ｔｂ間距離Ｌ、及び係合片３０９ｔａと係合片３０９ｔｂ間距離Ｌは、ディスク状記憶媒体１０００の直径Ｄより小さく成っている。従って、ディスク状記憶媒体１０００は上記係合片の間を通過することが出来ない。
【００５８】
しかし、本体２と蓋体３ をさらに大きくこじ開ける場合には、本体２側の係合片２０８ｔａ、２０８ｔｂの先端と蓋体側の係合片３０９ｔａ、３０９ｔｂの先端との間にディスク状記憶媒体１０００が通過する隙間が形成されれば、この隙間からディスク状記憶媒体１０００は抜取られる。そこで、本考案のロック機能付き薄型ケース１は、本体２側に補助係合片２０４ｔａ、２０４ｔｂを起立し、蓋体３側には補助係合片３０４ｔａ、３０４ｔｂを起立している。そして、これら各補助係合片２０４ｔａ、３０４ｔａを蓋体３が開閉する連結部１Ｒ側に形成し、２０４ｔｂ、３０４ｔｂをロックプレート７側に形成するため、補助係合片２０４ｔａ、３０４ｔａの先端と補助係合片２０４ｔｂ、３０４ｔｂの先端に隙間が出来るほど蓋体３をこじ開けることは出来ない。
【００５９】
そして、本体２側の補助係合片２０４ｔａ、２０４ｔｂ間距離Ｍ、並びに蓋体３側の補助係合片３０４ｔａ、３０４ｔｂ間距離Ｍはディスク状記憶媒体１０００の直径Ｄより小さく成っていることで、これら各補助係合片間をディスク状記憶媒体１０００が通過することも出来ない（図５参照）。
（３）両ベース面収納ケース
【００６０】
本考案に係るロック機能付き薄型ケース１は、図７のように、本体２のベース面２Ｂと蓋体３のベース面３Ｂの双方のディスク状記憶媒体収容領域ＤＲに、夫々ディスク状記憶媒体１０００を収容する構成としてもよい。
【００６１】
このような本考案のロック機能付き薄型ケース１は、図７のように、本体２のベース面２Ｂ中央部にはディスク状記憶媒体１０００の中央部が載る載置面４４を有す受け台座４が設けられ、同じく蓋体３のベース面３Ｂ中央部には別のディスク状記憶媒体１０００の中央部が載る載置面４４を有する受け台座５が設けられる。そして、両受け台座４、５の向きは互いに垂直方向を成し（図８参照）、受け台座４、５の載置面４４中央には２本のスリット溝４６が所定の間隔をおいて形成され、両スリット溝４６にて挟まれて両弾性アーム状台座４５ａ、４５ｂが形成される（図６参照）。
【００６２】
この両弾性アーム状台座４５ａ、４５ｂの先端には、係合凸部４７ａ、４７ｂが対を成して突出され、更に上記弾性アーム状台座４５ａ、４５ｂとは独立して撓む係合ツメ４８ａ、４８ｂが、係合凸部４７ａ、４７ｂと対を成して設けられる。
【００６３】
本考案に係るロック機能付き薄型ケース１は、図６（ｂ）のように、上記係合ツメ４８ａ、４８ｂの先端を係合凸部４７ａ、４７ｂの上面より突出させ、蓋体３を閉じた場合に係合ツメ４８ａ、４８ｂ先端が対向側の係合凸部４７ａ、４７ｂ側面に係止するようにするのが望ましい。
【００６４】
このような構成の本考案に係るロック機能付き薄型ケース１は、係合ツメ４８ａ、４８ｂ先端が対向側の係合凸部４７ａ、４７ｂ側面に係止するため、本体２と蓋体３とにディスク状記憶媒体１０００、１０００を収容しても厚さが増すことはなく、厚さ３ｍｍ〜５ｍｍ以下のロックプレート７を挿入して、側壁方向の厚さを５ｍｍ以上８ｍｍ未満とすることができる。
【実施例２】
【００６５】
本実施例２に係るロック機能付き薄型ケース１は、本体２のベース面２Ｂの中央部には受け台座４を設け、同じく蓋体３のベース面３Ｂにも受け台座５を設けている。本体２の受け台座４はベース面２Ｂとほぼ同一面に設けられ、蓋体３の受け台座５はベース面３Ｂから突出して設けている。そして受け台座４、５の形状は概略長円形を成しているが、その向きは互いに垂直方向を成している。
【００６６】
図６は本体ベース面２Ｂに設けている受け台座４の拡大図であるが、受け台座４の載置面４４には弾性アーム状台座４５ａ、４５ｂが形成され、載置面４４とはスリット溝４６、４６にて切り離されていて、弾性アーム状台座先端には概略半円柱の係合凸部４７ａ、４７ｂを突出している。そして、係合凸部４７ａ、４７ｂの間には収縮出来るように繋ぎ部４９が介在しているが、組み合わされて高さの低い概略円柱状となり、この係合凸部４７ａ、４７ｂはディスク状記憶媒体の中央穴に嵌って係合する。ここで、係合凸部４７ａ、４７ｂを上方から押圧するならば、弾性アーム状台座４５ａ、４５ｂは撓むと共に、肉厚の薄い繋ぎ部４９が湾曲変形して係合凸部４７ａ、４７ｂは収縮することが出来る。
【００６７】
弾性アーム状台座４５ａ、４５ｂは載置面４４からスリット溝４６、４６によって切り離されているので、係合凸部４７ａ、４７ｂを押圧することで撓み変形することが出来る。載置面４４は、弾性アーム状台座４５ａ、４５ｂが撓み変形出来るように、ベース面２Ｂ又は３Ｂから僅か上方に突出した位置に設けられている。そして、弾性アーム状台座４５ａ、４５ｂから細スリット溝を介して切り離された係合ツメ４８ａ、４８ｂが、係合凸部４７ａ、４７ｂの構成する概略円柱の端部に夫々設けられている。すなわち、概略半円柱の係合凸部４７ａ、４７ｂの夫々弾性アーム状台座４５ａ、４５ｂ方向の一部が切欠かれた位置に、係合ツメ４８ａ、４８ｂが起立している。しかも、係合ツメ４８ａ、４８ｂの先端は係合凸部４７ａ、４７ｂより僅かに高く起立している。そこで、ディスク状記憶媒体１０００は受け台座４の載置面４４に載置されると共に、係合凸部４７ａ、４７ｂ、及び係合ツメ４８ａ、４８ｂはディスク状記憶媒体１０００の中央穴に嵌って係合し、その後さらに係合ツメ４８ａ、４８ｂは、このディスク状記憶媒体１０００の中央穴の内周縁に係止する。
【００６８】
すなわち、ディスク状記憶媒体１０００は係合凸部４７ａ、４７ｂ及び係合ツメ４８ａ、４８ｂが中央穴に嵌るように受け台座４に載せられるが、係合凸部４７ａ、４７ｂ及び係合ツメ４８ａ、４８ｂがディスク状記憶媒体１０００の中央穴内周面に当って押下げられ、その結果、弾性アーム状台座４５ａ、４５ｂは撓み変形する。そして、係合凸部４７ａ、４７ｂ、及び係合ツメ４８ａ、４８ｂは収縮して中央穴に嵌ることが出来る。両係合凸部４７ａ、４７ｂの間には変形自在な繋ぎ部４９が介在している為に、収縮して中央穴に嵌ることができ、係合ツメ４８ａ、４８ｂは中心側へ撓み変形する。
【００６９】
そして、中央穴に嵌った係合凸部４７ａ、４７ｂは、弾性アーム状台座４５ａ、４５ｂが元の位置に戻ることで一旦収縮した後に拡大して中央穴に嵌合する。そして、係合ツメ４８ａ、４８は中央穴の内周縁に係止する。このように、弾性アーム状台座４５ａ、４５ｂが撓み変形することで、ディスク状記憶媒体１０００に無理をかけることなく、これを受け台座４に取付けることが出来る。
【００７０】
逆に、ディスク状記憶媒体１０００を受け台座４から取外す場合、係合凸部４７ａ、４７ｂを上方から押圧する。押圧するならば、弾性アーム状台座４５ａ、４５ｂが撓み変形して係合凸部４７ａ、４７ｂ、及び係合ツメ４８ａ、４８ｂは収縮し、中央穴から外れる。この場合、ディスク状記憶媒体１０００は受け台座４の載置面４４に載っていて、係合凸部４７ａ、４７ｂを押圧しても該ディスク状記憶媒体１０００の中央部が無理に撓むことはない。
【００７１】
そして、一旦係合凸部４７ａ、４７ｂ、及び係合ツメ４８ａ、４８ｂが収縮してディスク状記憶媒体１０００の中央穴から外れるならば、再び中央穴に嵌ることはなく、ディスク状記憶媒体１０００は簡単に取外される。一方、受け台座４に載って取付けられているディスク状記憶媒体１０００を取外す場合、係合凸部４７ａ、４７ｂを押圧するのみならず、外周を摘んで引き上げることも出来る。すなわち、容易に撓むことが出来る係合ツメ４８ａ、４８ｂが中央穴の内周縁から外れることで、ディスク状記憶媒体１０００を取外し可能となる。
【００７２】
図７は、本体２に受け台座４を、蓋体３に受け台座５を設けた場合を示している。本考案の収納ケース１は、本体２側と蓋体３側に夫々ディスク状記憶媒体１０００、１０００が取付けられる。取付け形態は受け台座４、５に設けている係合凸部４７ａ、４７ｂ及び係合ツメ４８ａ、４８ｂが中央穴に嵌合する状態となる。
【００７３】
図８は蓋体３を閉じた場合の受け台座４、５の位置関係を示している。本体ベース面２Ｂに設けた受け台座４にはディスク状記憶媒体１０００が取付けられ、蓋体のベース面３Ｂに設けた受け台座５には別のディスク状記憶媒体１０００が取付けられる。両受け台座４、５は図８に示すように互いにクロスして対面し、受け台座４、５の係合凸部４７ａ、４７ｂに嵌ったディスク状記憶媒体１０００、１０００が外れないようになる。
【００７４】
すなわち、蓋体３が閉じると、本体２側の受け台座４に設けている係合凸部４７ａ、４７ｂは蓋体３側の受け台座５に設けている係合凸部４７ａ、４７ｂに大きな隙間を残すことなく対面し、図６ (ａ)、(ｂ)に断面拡大図を示しているように、係合ツメ４８ａ、４８ｂの先端は対向する係合凸部４７ａ、４７ｂの側面に係止する。従って、該係合ツメ４８ａ、４８ｂは内側(中心側)へ撓むことが出来ず、ディスク状記憶媒体１０００の中央穴から外れることはない。本体２側の係合ツメ４８ａ、４８ｂは蓋体３側の係合凸部４７ａ、４７ｂに係止し、蓋体３側の係合ツメ４８ａ、４８ｂは本体側の係合凸部４７ａ、４７ｂに係止することで、両方のディスク状記憶媒体１０００、１０００は係合凸部４７ａ、４７ｂから外れることはなく、安定して取付けられる。
【００７５】
そして、上記のように、本考案のロック機能付き薄型ケース１は、本体２と蓋体３の係合ツメ４８ａ、４８ｂが、対向する蓋体３と本体２の係合凸部４７ａ、４７ｂの側面に、夫々係止されるため、本体２と蓋体３とにディスク状記憶媒体１０００、１０００を収容しても厚さが増すことはない。
【００７６】
以上、本考案に係るロック機能付き薄型ケースについて説明したが、本考案は上記実施形態及び実施例に限定されるものではない。
【００７７】
その他、本考案は、その主旨を逸脱しない範囲で当業者の知識に基づき種々の改良、修正、変更を加えた態様で実施できるものである。
【産業上の利用可能性】
【００７８】
本考案に係る本考案に係るロック機能付き薄型ケースは、レンタルショップの棚に陳列されているＤＶＤ 、ＣＤ 、ゲームソフト等のディスク状記憶媒体を盗難から守ることが出来る、防犯性の向上した貸出し用の薄型ケースとして用いることができる。
【符号の説明】
【００７９】
１：ロック機能付き薄型ケース
ＬＲ：ロックプレート収容領域
ＤＲ：ディスク状記憶媒体収容領域
ＬＳ：ロックプレート収容空間
１Ｒ：連結部１Ｒ
１Ｈ：開口部
２：本体
２ａ、２ｂ、２ｃ、２ｄ：側壁
（２ａ）、（２ｂ）、（２ｃ）、（２ｄ）：辺部
２Ｂ：（本体）ベース面
２Ｇ：ガイド溝
２Ｌ：ロック壁
２２：切欠き部
２０１：爪係止部
２０４ｔａ、２０４ｔｂ：補助係合片
２０５：中空嵌合部
２０６：中空嵌合片嵌合部
２０７ａ、２０７ｂ：係合部
２０８ｔａ、２０８ｔｂ：係合片
２０９ｍａ、２０９ｍｂ：係合溝
２２：切欠き部
３：蓋体
３ａ、３ｂ、３ｃ、３ｄ：側壁（辺部）
（３ａ）、（３ｂ）、（３ｃ）、（３ｄ）：辺部
３Ｂ：（蓋体）ベース面
３Ｇ：ガイド蓋
３０４ｔａ、３０４ｔｂ：補助係合片
３０５：中空嵌合部
３０６：中空嵌合片嵌合部
３０７ａ、３０７ｂ：係合部
３０８ｍａ、３０８ｍｂ：係合溝
３０９ｔａ、３０９ｔｂ：係合片
３２：基部プレート収容部
４：受け台座（本体）
４４：載置面
４５ａ、４５ｂ：弾性アーム状台座
４６：スリット溝
４７ａ、４７ｂ：係合凸部
４８ａ、４８ｂ：係合ツメ
４９：繋ぎ部
５：受け台座（蓋体）
７：ロックプレート
７１：基部プレート
７２：ストッパ片
７３：挿入プレート
７３Ｌ：ロック面  
７３Ｂ：基底面
７３Ｓ：側面（長手側面７３Ｓｌ、短手側面７３Ｓｔ）
７４：嵌合片
８：ロック機構
８０：アーム
８０Ｌ、８０１Ｌ：ロック爪
８０１：板ばね
８３：弾性体
８５：ロック解除阻止手段
８６：磁気レバー
８６ａ：長腕
８６ｂ：短腕
１００：マグネット
１０１：磁石
１０００：ディスク状記憶媒体（ＤＶＤ、ＣＤなど）
（イ）：レンタル用ケース（内ケース）
（ロ）：陳列用カバーケース（外ケース）
【図１】
0003231151.tif 000003
【図２】
0003231151.tif 000004
【図３】
0003231151.tif 000005
【図４】
0003231151.tif 000006
【図５】
0003231151.tif 000007
【図６】
0003231151.tif 000008
【図７】
0003231151.tif 000009
【図８】
0003231151.tif 000010
【図９】
0003231151.tif 000011
【図１０】
0003231151.tif 000012
【図１１】
0003231151.tif 000013
【図１２】
0003231151.tif 000014
【図１３】
0003231151.tif 000015